(57)【特許請求の範囲】
【請求項１】
底辺に穴を開けたＬ型擁壁を地面上に設置し、この穴に、片方の端にネジ棒を取り付けたねじり平鋼を、ネジ棒を上にして入れ、底辺よりネジ棒が少し出ると共にねじり平鋼の先端の一部が穴内に位置する状態まで地面に捩じ込み、穴にコンクリートを詰めてねじり平鋼を擁壁に固め、ネジ棒に座金を入れ、ナットで締め付けて擁壁を固定する事を特徴とする擁壁の固定方法。
【請求項２】
縦辺に穴を開けたＬ型擁壁を地面上に設置し、この穴に、片方の端にネジ棒を取り付けたねじり平鋼を、ネジ棒を縦辺側にして水平に入れ、縦辺よりネジ棒が少し出ると共にねじり平鋼の先端の一部が穴内に位置する状態まで、ねじり平鋼を切り立った地面に捩じ込み、穴にコンクリートを詰めてねじり平鋼を擁壁に固め、ネジ棒に座金を入れ、ナットで締め付けて擁壁を固定する事を特徴とする擁壁の固定方法。
【請求項３】
縦辺に穴を開けたＬ型擁壁を地面上に設置し、この穴に、片方の端にネジ棒を取り付けたねじり平鋼を、ネジ棒を縦辺側にして水平に入れ、縦辺よりネジ棒が少し出ると共にねじり平鋼の先端の一部が穴内に位置する状態にし、穴にコンクリートを詰めてねじり平鋼を擁壁に固め、ネジ棒に座金を入れ、ナットで締め付けて擁壁に固定し、埋め戻した土砂の中にねじり平鋼を埋め込んで擁壁を固定する事を特徴とする擁壁の固定方法。
【発明の詳細な説明】
【０００１】
【発明の属する技術分野】
本発明は、造成地等の土留めの為に築く擁壁を、強く地面に固定する方法に関するものである。
【０００２】
【従来の技術】
従来の擁壁の例として、鉄筋コンクリートのＬ型擁壁を図９に示すと、先ず設置する地面（１）に栗石（２）を敷いて突き固め、その上にコンクリート（３）を流し込み、更にその上にモルタル（４）を敷いて表面を平らにする。このモルタルの上に、Ｌ型の擁壁（５）を必要数だけ並べ、位置決めをして連結する。そして最後に、擁壁の裏に栗石（２′）や砕石を詰めて、土砂（６）で埋め戻している。
【０００３】
【発明が解決しようとする課題】
このように従来の擁壁は、埋め戻した地面に圧力がかかると、擁壁が押されて外側に傾く恐れがあった。そこで本発明は、擁壁が外側に傾かないように、強く地面に固定しようとするものである。
【０００４】
【課題を解決するための手段】
そこで第１の方法として、Ｌ型の擁壁の底辺を、平鋼を捩ったねじり平鋼を使って、地面に固定する事にした。このねじり平鋼は、長い平鋼を同じピッチで真っ直ぐに捩じった物であり、本出願人が、先にねじり平鋼を捩じれる方法と機械を開発し、既に特願平１０−２７２５１２により特許出願済みで、今では簡単に製造出来る。
【０００５】
そこで図１に示す如く、先ずＬ型の擁壁の底辺（７）に、穴（９）を開けた擁壁（５ａ）を作り、これを平らにならした地面（１）の上に設置する。一方ねじり平鋼（８）は、片方の端を少し尖らせ、もう片方の端に、ネジ棒（１０）を溶接して取り付けている。このねじり平鋼の尖った方を穴に入れ、底辺の上よりネジ棒が少し出ると共にねじり平鋼の先端の一部が穴内に位置する状態まで、ねじり平鋼を地面に捩じ込む。次に穴にコンクリートを詰めてねじり平鋼を擁壁に固め、ネジ棒に座金（１１）を入れ、ナット（１２）で締め付けて擁壁を固定する。
【０００６】
捩じ込むのは、現在レバーを使って、手で捩じ込んでいるが、将来機械を使う事を考えている。
【０００７】
ここでねじり平鋼を地面に捩じ込んだ場合について説明すると、螺旋状の平鋼がコルクの栓抜きのように、地面に捩じ込まれているので、ねじり平鋼が回らなければ、地面が割れない限り抜けてこない。同様な事が押込む時にも言えるので、ねじり平鋼を引き抜いたり、押し込んだりする事は、容易な事ではない。
【０００８】
ここで地面に捩じ込んだねじり平鋼を、引き抜く力と押し込む力は、実験により計測しているので、擁壁を地面に置いて、ねじり平鋼で固定しただけで、十分な地耐力があり、同時に底辺が浮いて、擁壁が傾くのを防止する事が出来る事を確認している。
【０００９】
しかし従来の工法では、地面に栗石を敷いて突き固め、その上にコンクリートを流し込み、更にその上にモルタルを敷いて表面を平らにして、その上に擁壁を置いている。この場合はねじり平鋼が捩じ込まれないので、次にようにしなければならない。
【００１０】
図２に示す如く、先ず地面（１）上に擁壁を設置した時の穴位置を定め、この位置に予めねじり平鋼（８）を地面に捩じ込んでおく。そこで従来の工法に従い、地面に栗石（２）を敷いて突き固め、その上にコンクリート（３）を流し込み、更にその上にモルタル（４）を敷いて表面を平らにする。この時モルタルの上に、ねじり平鋼が、所定の長さだけ出ていなければならない。
【００１１】
そこで擁壁の底辺（７）の穴（９）に、ねじり平鋼を通して擁壁（５ｂ）を設置する。この時ネジ棒（１０）が底辺より少し上に出た状態にしなければならない。所定の長さとは、このような状態にする為に決めた長さである。
【００１２】
次に穴にコンクリートを流し込んでねじり平鋼を固め、ネジ棒に座金（１１）を入れ、ナット（１２）で締めて固定する。このようにして擁壁が外側に傾いて、底辺が浮き上がる事がないようにしている。
【００１３】
次に第２の方法として、Ｌ型の擁壁の縦辺を、切り立った地面に固定する方法について説明する。先ず図３に示す如く、Ｌ型の擁壁の縦辺（１３）に穴（９’）を開けた擁壁（５ｃ）を作り、これを切り立った地面（１）の下を平らにならして、この上に擁壁を置く。前述のねじり平鋼（８’）のネジ棒が縦辺側にくるように穴に差し込み、ネジ棒が縦辺より少し出ると共にねじり平鋼の先端の一部が穴内に位置する状態になるまで、ねじり平鋼を水平に切り立った地面に捩じ込む。この後穴にコンクリートを流し込んで、ねじり平鋼を擁壁に固め、ネジ棒（１０）に座金（１１）を入れて穴を塞ぎ、ナット（１２）で締めて固定する。最後に擁壁の裏に土砂（６）を入れる時に、ねじり平鋼を埋め込んだ状態で埋め戻す。
【００１４】
ところが地形によっては、後ろに切り立った地面がない場合がある。この場合は図４に示す如く、従来の工法に従い、地面（１）に栗石（２）を敷いて突き固め、その上にコンクリート（３）を流し込み、更にその上にモルタル（４）を敷いて表面を平らにする。Ｌ型の擁壁の縦辺（１３）に穴（９′）を開けた擁壁（５ｄ）を作り、これをモルタルの上に擁壁を置く。
【００１５】
そこでねじり平鋼（８’）のネジ棒を縦辺側にして穴に差し込み、ネジ棒が縦辺より少し出ると共にねじり平鋼の先端の一部が穴内に位置する状態で、ねじり平鋼の先を水平に支えて位置決めし、穴にコンクリートを流し込んでねじり平鋼を擁壁に固める。次にネジ棒（１０）に座金（１１）を入れて穴を塞ぎ、ナット（１２）で締めて固定する。最後に擁壁の裏に土砂（６）を入れて、ねじり平鋼を埋め込んだ状態で埋め戻す。
【００１６】
このようして、擁壁が外側に傾こうとしても、ねじり平鋼が土砂に埋まっているので抜けてこない為、擁壁が外側に傾く事が無いようにしている。
【００１７】
【発明の実施の形態】
これまでＬ型の擁壁の底辺に穴を開けた場合と、縦辺に穴を開けた場合を各々説明してきたが、本発明の実施の形態として、Ｌ型の擁壁の底辺と縦辺に夫々穴を開けて、夫々ねじり平鋼で固定した実施例を説明する。
【００１８】
先ず図５に示す如く、擁壁の後ろに、切り立った地面がある場合に述べると、最初に底辺（７）に穴（９）を、縦辺（１３）に穴（９’）を夫々開けたＬ型の擁壁（５ｅ）を作り、これを切り立った地面（１）の下を平らにならして、この上に擁壁を置く。そこでねじり平鋼（８）の尖った方を底辺の穴に入れ、ネジ棒が底辺の上より少し出ると共にねじり平鋼の先端の一部が穴内に位置する状態まで、ねじり平鋼を地面に捩じ込む。次に穴にコンクリートを詰めてねじり平鋼を擁壁に固め、ネジ棒（１０）に座金（１１）を入れ、ナット（１２）で締め付けて擁壁を固定する。
【００１９】
次にねじり平鋼（８’）のネジ棒を縦辺側にして、縦辺の穴に差し込み、ネジ棒が縦辺より少し出ると共にねじり平鋼の先端の一部が穴内に位置する状態になるまで、ねじり平鋼を水平に切り立った地面に捩じ込む。この後穴にコンクリートを流し込んで、ねじり平鋼を擁壁に固め、ネジ棒に座金を入れて穴を塞ぎ、ナットで締めて固定する。最後に擁壁の裏に土砂（６）を入れる時に、ねじり平鋼を埋め込んだ状態で埋め戻す。
【００２０】
次に図６、図７に示す如く、擁壁の後ろに、切り立った地面が無い場合に述べると、先ず底辺（７）に穴（９）を、縦辺（１３）に穴（９′）を夫々開けたＬ型の擁壁（５ｆ）を作る。そして地面上に擁壁を設置した時の穴位置を定め、この位置に予めねじり平鋼（８）を地面に捩じ込んでおく。次に地面（１）に栗石（２）を敷いて突き固め、コンクリート（３）を流し込んでその上にモルタル（４）を敷いて表面を平らにする。そこでモルタルの上に、底辺の穴にねじり平鋼を入れて擁壁を設置する。次に穴にコンクリートを流し込んで、ねじり平鋼を固め、ネジ棒に座金を入れ、ナットで締めて固定する。以下同じ要領で次々に擁壁を継ぎ足して連結する。
【００２１】
次に連結した擁壁（５ｆ）の縦辺（１３）の穴（９’）に、ねじり平鋼（８’）のネジ棒を縦辺側にして差し込み、先を水平に支えて、ネジ棒が縦辺より少し出ると共にねじり平鋼の先端の一部が穴内に位置する状態で位置決めし、穴にコンクリートを流し込んで、ねじり平鋼を擁壁に固定する。次にネジ棒に座金を入れて穴を塞ぎ、ナットで締めて固定する。最後に擁壁の裏に栗石（２’）や砕石を詰め土砂（６）を入れ、ねじり平鋼を埋め込んだ状態で埋め戻す。
【００２２】
本発明はこの外にコンクリートブロック積みの擁壁にも適用出来るので、図８に参考例として示す。先ず地面（１）を掘って低くし、栗石（２）を敷いて突き固め、コンクリート（３）を流し込んで基礎を作る。次に基礎の上に一段目のブロック（１４）を並べ、間に砕石を詰めてコンクリート（３’）を流し込んで固定する。以下同じ要領で積み上げて行くが、この間適当箇所にねじり平鋼（８’）をほぼ水平に地面に捩じ込む。そして間に砕石を詰めてコンクリートを流し込む時に、ねじり平鋼の地面より出た端を、同時に埋め込んで固定する。最後にブロック積みの後ろに、栗石（２’）を入れ、その上に土砂（６）を入れて、ねじり平鋼を埋め込んだ状態にして埋め戻す。
【００２３】
尚地形によっては、ねじり平鋼の先が地面に届かない場合があるが、この場合でもねじり平鋼が土砂に埋め込まれているので、従来のものより崩れ難いものになる。
【００２４】
【発明の効果】
従来の擁壁は、擁壁の裏に圧力がかかると、擁壁が押されて表側に傾く恐れがあったが、本発明の方法では、擁壁の底辺と縦辺に穴をあけ、この穴にねじり平鋼を通して、地面に捩じ込み、擁壁と地面を固定した為、擁壁が傾かないようになった。
【図面の簡単な説明】
【図１】本発明請求項１記載の擁壁の側面断面図。
【図２】本発明請求項２記載の擁壁の側面断面図。
【図３】本発明請求項３記載の擁壁の側面断面図。
【図４】本発明請求項４記載の擁壁の側面断面図。
【図５】本発明実施例の擁壁の側面断面図。
【図６】本発明他の実施例の擁壁の側面断面図。
【図７】本発明他の実施例の擁壁の平面断面図。
【図８】本発明請求項５記載のブロック積擁壁の側面断面図。
【図９】従来の擁壁の側面断面図。
【符号の説明】
１              地面
２、２′        栗石
３、３′        コンクリート
４              モルタル
５、５ａ、５ｂ、５ｃ、５ｄ、５ｅ、５ｆ    擁壁
６              土砂
７              底辺
８、８′        ねじり平鋼
９、９′        穴
１０              ネジ棒
１１              座金
１２              ナット
１３              縦辺
１４              ブロック
【図１】
0004585669.tif 000002
【図２】
0004585669.tif 000003
【図３】
0004585669.tif 000004
【図４】
0004585669.tif 000005
【図５】
0004585669.tif 000006
【図６】
0004585669.tif 000007
【図７】
0004585669.tif 000008
【図８】
0004585669.tif 000009
【図９】
0004585669.tif 000010